【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
透析処置用の装置であって、この装置は、入口および出口を有するとともに内部を画定する本体を備えており、前記内部は、リポカリンファミリー由来の少なくとも１種のタンパク質が結合された少なくとも１つの膜を備え、この装置に入る流体は、この装置に入ると前記リポカリンファミリー由来の少なくとも１種のタンパク質と接触するように構成されている装置。
【請求項２】
前記膜が、ポリアミド、ポリスルホン、ポリエーテルスルホン、酢酸セルロース、トリアセテート、ポリアクリロニトリルまたはポリメタクリル酸メチルの少なくとも１種である請求項１に記載の装置。
【請求項３】
前記少なくとも１種のタンパク質が、複数のタンパク質を含み、これらタンパク質が、リポカリンファミリーから選択される同じ型のタンパク質を含むものであるか、又は
前記少なくとも１種のタンパク質が、複数のタンパク質を含み、これらタンパク質が、リポカリンファミリーから選択される異なる型のタンパク質の組合せを含むものである請求項１又は２に記載の装置。
【請求項４】
前記リポカリンファミリー由来の少なくとも１種のタンパク質が、嗅覚物質結合タンパク質である請求項１から３のいずれか１項に記載の装置。
【請求項５】
前記疎水性のタンパク質結合性尿毒症毒素が、ｐ−クレゾール、インドキシル硫酸またはｐ−クレゾール硫酸の少なくとも１つである請求項４に記載の装置。
【請求項６】
入口および出口を有するとともに内部を画定する本体を備える装置に、対象由来の体液を流すことを含む透析方法であって、前記内部が、リポカリンファミリー由来の少なくとも１種のタンパク質が結合された少なくとも１つの膜を備えており、前記装置に入る前記体液は、前記装置に入ると前記リポカリンファミリー由来の少なくとも１種のタンパク質と接触するように前記装置が構成されている方法。
【請求項７】
前記少なくとも１つの膜が、ポリアミド、ポリスルホン、ポリエーテルスルホン、酢酸セルロース、トリアセテート、ポリアクリロニトリルまたはポリメタクリル酸メチルの少なくとも１種である請求項６に記載の方法。
【請求項８】
前記少なくとも１種のタンパク質が、複数のタンパク質を含み、これらタンパク質が、リポカリンファミリーから選択される同じ型のタンパク質を含むものであるか、又は
前記少なくとも１種のタンパク質が、複数のタンパク質を含み、これらタンパク質が、リポカリンファミリーから選択される異なる型のタンパク質の組合せを含むものである請求項６又は７に記載の方法。
【請求項９】
前記リポカリンファミリー由来の少なくとも１種のタンパク質が、嗅覚物質結合タンパク質である請求項６から８のいずれか１項に記載の方法。
【請求項１０】
前記疎水性のタンパク質結合性尿毒症毒素が、ｐ−クレゾール、インドキシル硫酸またはｐ−クレゾール硫酸の少なくとも１つである請求項１７に記載の方法。
【請求項１１】
入口および出口を有するとともに内部を画定する本体を備える装置に、対象由来の体液を流すことを含む尿毒症を予防または治療する方法であって、前記内部が、リポカリンファミリー由来の少なくとも１種のタンパク質が結合された少なくとも１つの膜を備えており、前記装置に入る前記体液は、前記装置に入ると前記リポカリンファミリー由来の少なくとも１種のタンパク質と接触するように前記装置が構成されている方法。
【請求項１２】
前記少なくとも１つの膜が、ポリアミド、ポリスルホン、ポリエーテルスルホン、酢酸セルロース、トリアセテート、ポリアクリロニトリルまたはポリメタクリル酸メチルの少なくとも１種である請求項１１に記載の方法。
【請求項１３】
前記少なくとも１種のタンパク質が、複数のタンパク質を含み、これらタンパク質が、リポカリンファミリーから選択される同じ型のタンパク質を含むものであるか、又は
前記少なくとも１種のタンパク質が、複数のタンパク質を含み、これらタンパク質が、リポカリンファミリーから選択される異なる型のタンパク質の組合せを含むものである請求項９から１２のいずれか１項に記載の方法。
【請求項１４】
前記リポカリンファミリー由来の少なくとも１種のタンパク質が、嗅覚物質結合タンパク質である請求項１９から２２のいずれか１項に記載の方法。
【請求項１５】
前記疎水性のタンパク質結合性尿毒症毒素が、ｐ−クレゾール、インドキシル硫酸またはｐ−クレゾール硫酸の少なくとも１つである請求項１４に記載の方法。
【請求項１６】
前記尿毒症が、疲労、貧血、痒み、末梢神経障害、胃腸障害、吐気、嘔吐、下痢、心血管の合併症、冠血管疾患、末梢血管疾患、左心室肥大、心筋線維症および不整脈に関わる加速の少なくとも１つを特徴とする請求項９から１５のいずれか１項に記載の方法。
【請求項１７】
透析方法であって、
（ａ）透析装置の内部に、リポカリンファミリー由来の少なくとも１種のタンパク質を含む溶液を供給するステップと、
（ｂ）前記透析装置に、対象由来の体液を流すステップであって、前記透析装置が、入口および出口を有するとともに内部を画定する本体を備えており、前記内部が、前記リポカリンファミリー由来の少なくとも１種のタンパク質を結合可能な少なくとも１つの膜を備えており、前記透析装置に入る前記体液は、前記透析装置に入ると前記リポカリンファミリー由来の少なくとも１種のタンパク質と接触するように前記透析装置が構成されており、疎水性のタンパク質結合性尿毒症毒素の排出が促進されるステップと
を含む方法。
【請求項１８】
体外解毒の方法であって、この方法は、入口および出口を有するとともに内部を画定する本体を備える装置に、対象由来の体液を流すことを含み、前記内部が、リポカリンファミリー由来の少なくとも１種のタンパク質を結合可能な少なくとも１つの膜を備え、前記装置に入る前記体液は、前記装置に入ると前記リポカリンファミリー由来の少なくとも１種のタンパク質と接触するように前記装置が構成されており、薬物の排出が促進される方法。
【請求項１９】
前記薬物が、処方薬または非処方薬である請求項１８に記載の方法。
【請求項２０】
前記対象が、偶発的または意図的な薬物過剰摂取に陥っている請求項１８に記載の方法。
【手続補正２】
【補正対象書類名】明細書
【補正対象項目名】００９９
【補正方法】変更
【補正の内容】
【００９９】
本開示の実施形態は、特定用語、デバイスおよび方法を使用して記載してきたが、かかる記述は、単なる説明目的のためのものである。使用する語句は、限定ではなく、記述の語句である。下記の特許請求に範囲に記載する本開示の精神または範囲を逸脱することなく、修正および変形が当業者により行われ得ることが理解されよう。さらに、各種実施形態の態様は、全体的にまたは部分的に交換可能であり得ることが理解されるべきである。したがって、添付の特許請求の範囲の精神および範囲は、本明細書中に含まれる様式の記述に限定されるべきではない。なお、本発明の実施態様は、以下の通りである。
［実施態様１］
透析処置用の装置であって、この装置は、入口および出口を有するとともに内部を画定する本体を備えており、前記内部は、リポカリンファミリー由来の少なくとも１種のタンパク質が結合された少なくとも１つの膜を備え、この装置に入る流体は、この装置に入ると前記リポカリンファミリー由来の少なくとも１種のタンパク質と接触するように構成されている装置。
［実施態様２］
前記膜が、ポリアミド、ポリスルホン、ポリエーテルスルホン、酢酸セルロース、トリアセテート、ポリアクリロニトリルまたはポリメタクリル酸メチルの少なくとも１種である実施態様１に記載の装置。
［実施態様３］
前記少なくとも１つの膜がポリスルホン膜である実施態様１又は２に記載の装置。
［実施態様４］
前記少なくとも１種のタンパク質が、前記少なくとも１つの膜に共有結合されている実施態様１から３のいずれか１つに記載の装置。
［実施態様５］
前記少なくとも１種のタンパク質が、複数のタンパク質を含み、これらタンパク質が、リポカリンファミリーから選択される同じ型のタンパク質を含むものである実施態様１から４のいずれか１つに記載の装置。
［実施態様６］
前記少なくとも１種のタンパク質が、複数のタンパク質を含み、これらタンパク質が、リポカリンファミリーから選択される異なる型のタンパク質の組合せを含むものである実施態様１から４のいずれか１つに記載の装置。
［実施態様７］
前記リポカリンファミリー由来の少なくとも１種のタンパク質が、嗅覚物質結合タンパク質である実施態様１から６のいずれか１つに記載の装置。
［実施態様８］
疎水性のタンパク質結合性尿毒症毒素の排出が促進される実施態様１から７のいずれか１つに記載の装置。
［実施態様９］
前記疎水性のタンパク質結合性尿毒症毒素が、ｐ−クレゾール、インドキシル硫酸またはｐ−クレゾール硫酸の少なくとも１つである実施態様８に記載の装置。
［実施態様１０］
入口および出口を有するとともに内部を画定する本体を備える装置に、対象由来の体液を流すことを含む透析方法であって、前記内部が、リポカリンファミリー由来の少なくとも１種のタンパク質が結合された少なくとも１つの膜を備えており、前記装置に入る前記体液は、前記装置に入ると前記リポカリンファミリー由来の少なくとも１種のタンパク質と接触するように前記装置が構成されている方法。
［実施態様１１］
前記少なくとも１つの膜が、ポリアミド、ポリスルホン、ポリエーテルスルホン、酢酸セルロース、トリアセテート、ポリアクリロニトリルまたはポリメタクリル酸メチルの少なくとも１種である実施態様１０に記載の方法。
［実施態様１２］
前記少なくとも１つの膜がポリスルホン膜である実施態様１０又は１１に記載の方法。
［実施態様１３］
前記少なくとも１種のタンパク質が、前記少なくとも１種の膜に共有結合されている実施態様１０から１２のいずれか１つに記載の方法。
［実施態様１４］
前記少なくとも１種のタンパク質が、複数のタンパク質を含み、これらタンパク質が、リポカリンファミリーから選択される同じ型のタンパク質を含むものである実施態様１０から１３のいずれか１つに記載の方法。
［実施態様１５］
前記少なくとも１種のタンパク質が、複数のタンパク質を含み、これらタンパク質が、リポカリンファミリーから選択される異なる型のタンパク質の組合せを含むものである実施態様１０から１３のいずれか１つに記載の方法。
［実施態様１６］
前記リポカリンファミリー由来の少なくとも１種のタンパク質が、嗅覚物質結合タンパク質である実施態様１０から１５のいずれか１つに記載の方法。
［実施態様１７］
疎水性のタンパク質結合性尿毒症毒素の排除が促進される実施態様１０から１６のいずれか１つに記載の方法。
［実施態様１８］
前記疎水性のタンパク質結合性尿毒症毒素が、ｐ−クレゾール、インドキシル硫酸またはｐ−クレゾール硫酸の少なくとも１つである実施態様１７に記載の方法。
［実施態様１９］
入口および出口を有するとともに内部を画定する本体を備える装置に、対象由来の体液を流すことを含む尿毒症を予防または治療する方法であって、前記内部が、リポカリンファミリー由来の少なくとも１種のタンパク質が結合された少なくとも１つの膜を備えており、前記装置に入る前記体液は、前記装置に入ると前記リポカリンファミリー由来の少なくとも１種のタンパク質と接触するように前記装置が構成されている方法。
［実施態様２０］
前記少なくとも１つの膜が、ポリアミド、ポリスルホン、ポリエーテルスルホン、酢酸セルロース、トリアセテート、ポリアクリロニトリルまたはポリメタクリル酸メチルの少なくとも１種である実施態様１９に記載の方法。
［実施態様２１］
前記少なくとも１つの膜がポリスルホン膜である実施態様１９又は２０に記載の方法。
［実施態様２２］
前記少なくとも１種のタンパク質が、前記少なくとも１つの膜に共有結合されている実施態様１９から２１のいずれか１つに記載の方法。
［実施態様２３］
前記少なくとも１種のタンパク質が、複数のタンパク質を含み、これらタンパク質が、リポカリンファミリーから選択される同じ型のタンパク質を含むものである実施態様１９から２２のいずれか１つに記載の方法。
［実施態様２４］
前記少なくとも１種のタンパク質が、複数のタンパク質を含み、これらタンパク質が、リポカリンファミリーから選択される異なる型のタンパク質の組合せを含むものである実施態様１９から２２のいずれか１つに記載の方法。
［実施態様２５］
前記リポカリンファミリー由来の少なくとも１種のタンパク質が、嗅覚物質結合タンパク質である実施態様１９から２２のいずれか１つに記載の方法。
［実施態様２６］
疎水性のタンパク質結合性尿毒症毒素の排出が促進される実施態様１９から２２のいずれか１つに記載の方法。
［実施態様２７］
前記疎水性のタンパク質結合性尿毒症毒素が、ｐ−クレゾール、インドキシル硫酸またはｐ−クレゾール硫酸の少なくとも１つである実施態様２６に記載の方法。
［実施態様２８］
前記尿毒症が、疲労、貧血、痒み、末梢神経障害、胃腸障害、吐気、嘔吐、下痢、心血管の合併症、冠血管疾患、末梢血管疾患、左心室肥大、心筋線維症および不整脈に関わる加速の少なくとも１つを特徴とする実施態様１９から２７のいずれか１つに記載の方法。
［実施態様２９］
前記尿毒症が、疎水性のタンパク質結合性尿毒症毒素によって引き起こされるものである実施態様１９から２８のいずれか１つに記載の方法。
［実施態様３０］
透析方法であって、
（ａ）透析装置の内部に、リポカリンファミリー由来の少なくとも１種のタンパク質を含む溶液を供給するステップと、
（ｂ）前記透析装置に、対象由来の体液を流すステップであって、前記透析装置が、入口および出口を有するとともに内部を画定する本体を備えており、前記内部が、前記リポカリンファミリー由来の少なくとも１種のタンパク質を結合可能な少なくとも１つの膜を備えており、前記透析装置に入る前記体液は、前記透析装置に入ると前記リポカリンファミリー由来の少なくとも１種のタンパク質と接触するように前記透析装置が構成されており、疎水性のタンパク質結合性尿毒症毒素の排出が促進されるステップと
を含む方法。
［実施態様３１］
体外解毒の方法であって、この方法は、入口および出口を有するとともに内部を画定する本体を備える装置に、対象由来の体液を流すことを含み、前記内部が、リポカリンファミリー由来の少なくとも１種のタンパク質を結合可能な少なくとも１つの膜を備え、前記装置に入る前記体液は、前記装置に入ると前記リポカリンファミリー由来の少なくとも１種のタンパク質と接触するように前記装置が構成されており、薬物の排出が促進される方法。
［実施態様３２］
前記薬物が、処方薬または非処方薬である実施態様３１に記載の方法。
［実施態様３３］
前記対象が、偶発的または意図的な薬物過剰摂取に陥っている実施態様３１に記載の方法。